(57)【要約】【課題】  小型、薄型化された場合にも、電子部品の収納スペースを維持しつつ、操作ノブの傾きを抑制できるプッシュスイッチを提供する。【解決手段】  操作ノブ２が押圧方向に移動可能にスイッチケース３に収納されるとともに、前記操作ノブ２が押圧移動する際に、前記操作ノブ２を前記スイッチケース３の所定の位置に誘導するガイド部１０が設けられたプッシュスイッチ１において、少なくとも１つの前記ガイド部１０が、前記操作ノブの異なる方向に形成される面２Ａ、面２Ｂに同時に接触するように構成され、この複数の面に接触するガイド部１０と対極となる位置に、前記操作ノブ２に形成される少なくとも一面と接触する他のガイド部１０が配置されている。【選択図】  図１
2006066102.tif 000002
【特許請求の範囲】
【請求項１】
操作ノブが押圧方向に移動可能にスイッチケースに収納されるとともに、前記操作ノブが押圧移動する際に、前記操作ノブを前記スイッチケースの所定の位置に誘導するガイド部が設けられたプッシュスイッチにおいて、
少なくとも１つの前記ガイド部が、前記操作ノブの異なる方向に形成される複数の面に同時に接触するように構成され、この複数の面に接触するガイド部と対極となる位置に、前記操作ノブに形成される少なくとも一面と接触する他のガイド部が配置されていることを特徴とするプッシュスイッチ。
【請求項２】
前記操作ノブの平面形状が四角形状とされ、この四角形状の四隅に前記複数の面に同時に接触するガイド部が配置されていることを特徴とする請求項１に記載のプッシュスイッチ。
【請求項３】
前記ガイド部が前記操作ノブの内側に形成されていることを特徴とする請求項１または２に記載のプッシュスイッチ。
【発明の詳細な説明】
【技術分野】
【０００１】
この発明は、操作ノブとガイド部とスイッチケースとから構成される小型、薄型化されたプッシュスイッチに関するものである。
【背景技術】
【０００２】
プッシュスイッチは、一般的に、いわゆるスイッチングを行う操作ノブや前記操作ノブが収納されるスイッチケース等から構成される。このスイッチケースの内部には、操作ノブの動作に基づいて接点をオン、オフする接点部や、基板、イルミネーション等が収納されている。
【０００３】
操作ノブは、スイッチケースに形成される配置穴に収納される。したがって、操作ノブとスイッチケースとの間には、不可避的にクリアランスが形成される。このクリアランスは、操作ノブのオン、オフの際の可動性を向上するには必要である。しかしながら、前記クリアランスが所定の幅以上である場合、操作ノブがスイッチングの際に傾いてしまう。そこで、このような構造のプッシュスイッチでは、スイッチケースと一体、あるいは別部材によるガイド部が設けられている。
【０００４】
前記ガイド部は操作ノブの周辺に配置され、操作ノブが可動する際に前記ノブに接触して、スイッチケースの所定の位置に操作ノブを誘導する。そのため、操作ノブの可動方向に沿ってガイド部が長く形成されるほど、前記ノブが効率良く補正される。このようなプッシュスイッチの一例が、特許文献１に紹介されている。
【特許文献１】特開平１０−２５５５８６号公報
【発明の開示】
【発明が解決しようとする課題】
【０００５】
近年、電子機器等の小型化、軽量化に伴って、上記プッシュスイッチの小型、薄型化が求められている。しかしながら、上記の構造におけるプッシュスイッチが小型、薄型化されると、それに伴ってガイド部が不可避的に短くなり操作ノブが傾いてしまう。このような問題を改善するべく、前記ガイド部を操作ノブの中央に配置することも行われている。しかしながら、ガイド部を操作ノブの中央に配置した場合、前記スイッチケースの内部がガイド部によって狭められてしまうため、イルミネーション等の電子部品を配置する収納スペースが制限されてしまう。
【０００６】
この発明は上記の技術的課題に着目してなされたものであり、小型、薄型化された場合にも、電子部品の収納スペースを維持しつつ、操作ノブの傾きを抑制できるプッシュスイッチを提供することを目的とするものである。
【課題を解決するための手段】
【０００７】
上記の目的を達成するために、請求項１の発明は、操作ノブが押圧方向に移動可能にスイッチケースに収納されるとともに、前記操作ノブが押圧移動する際に、前記操作ノブを前記スイッチケースの所定の位置に誘導するガイド部が設けられたプッシュスイッチにおいて、少なくとも１つの前記ガイド部が、前記操作ノブの異なる方向に形成される複数の面に同時に接触するように構成され、この複数の面に接触するガイド部と対極となる位置に、前記操作ノブに形成される少なくとも一面と接触する他のガイド部が配置されていることを特徴とするプッシュスイッチである。
【０００８】
また、請求項２の発明は、請求項１の構成に加えて、前記操作ノブの平面形状が四角形状とされ、この四角形状の四隅に前記複数の面に同時に接触するガイド部が配置されていることを特徴とするプッシュスイッチである。
【０００９】
さらに、請求項３の発明は、請求項１または２の構成に加えて、前記ガイド部が前記操作ノブの内側に形成されていることを特徴とするプッシュスイッチである。
【発明の効果】
【００１０】
請求項１の発明によれば、スイッチングの際に、１つのガイド部によって、操作ノブにおける複数の方向が同時にガイドされる。その結果、プッシュスイッチ１内部の電子部品の収納スペースを維持しつつ、操作ノブの動作時における傾きを抑制できる。さらに、前記一つのガイド部と対極となる位置に他のガイド部が配置されているので、操作ノブがさらにバランスよくガイドされる。その結果、さらに効率良く動作時における操作ノブの傾きを抑制できる。
【００１１】
また、請求項２の発明によれば、平面形状が四角形状とされた前記操作ノブの四隅に前記複数の面に接触するガイド部が配置されているので、前記操作ノブがバランスよくガイドされ、前記スイッチケースに対する操作ノブの傾きをさらに抑制できる。
【００１２】
また、請求項３の発明によれば、ガイド部が操作ノブの内側に設けられているので、操作ノブの外側にガイド部が形成された場合よりもガイド部を長く形成することができる。その結果、スイッチケースに対する操作ノブの姿勢がさらに安定する。その結果、さらに操作ノブの傾きを抑制できる。
【発明を実施するための最良の形態】
【００１３】
以下、本発明を実施した最良の形態について説明する。図１および図２に示すプッシュスイッチ１は、操作ノブ２と、スイッチケース３と、部材４とによって構成されている。このプッシュスイッチ１では、外側からスイッチケース３、操作ノブ２、部材４の順で所定間隔をおいて配置されており、操作ノブ２の一部はスイッチケース３の開口部３Ａからスイッチケース３の外側に突出している。さらに、部材４の内側には接点部６とイルミネーション７とが収納されており、この２つの電子部品が基板８に電気接続されている。一方、前記操作ノブ２の内側には押圧部９が形成されており、前記押圧部９の反対側の面９Ａから操作ノブ２が押圧されると押圧部９が接点部６に接触し、電源の切替が行われるようになっている。
【００１４】
部材４は平面形状が長方形状とされている。この部材４の四つの角は、平面形状においてＬ字状に切り欠かれており、このＬ字状の部分がガイド部１０とされている。すなわち、部材４の四つの角にそれぞれガイド部１０が配置されているので、部材４における一つのガイド部１０の配置位置と対称となる位置に他のガイド部１０が配置されている。さらに部材４の外側に配置される操作ノブ２の内周部分の形状も上記部材４の平面形状に併せて、長方形状の四隅をＬ字状に切り欠いた平面形状とされている。
【００１５】
前記Ｌ字状のガイド部１０は、ガイド面１０Ａと、このガイド面１０Ａと直角に形成されたガイド面１０Ｂとから構成されている。ガイド面１０Ａは、前記操作ノブ２の内周部分に形成されている内面２Ａと対向している。また、ガイド面１０Ｂは、前記操作ノブ２の内周部分に形成されている内面２Ｂと対向している。操作ノブ２において内面２Ａは内面２Ｂの直角方向に形成されている。
【００１６】
つぎに、上記プッシュスイッチ１の作用を説明する。まず、いわゆるスイッチングのために、操作ノブ２の面９Ａが押圧される。そのため、操作ノブ２の突出した部分がスイッチケース３の内部に収納される。このとき、面９Ａに押圧力のバラツキや、急激なスイッチングによって操作ノブ２の収納方向に対して斜めから押圧力が生じると、前記スイッチケース３に対して操作ノブ２が傾く。操作ノブ２が傾くと、操作ノブ２の内側に配置されている部材４の各ガイド部１０に前記操作ノブ２が接触し操作ノブ２の傾きが抑制される。具体的には、押圧によって操作ノブ２が移動する際に、操作ノブ２の各内面２Ａおよび前記内面２Ａの直角方向に形成された内面２Ｂと、対向する部材４の各ガイド面１０Ａおよび前記ガイド面１０Ａの直角方向に形成された各ガイド面１０Ｂとが接触して操作ノブ２の傾きが抑制される。そして、操作ノブ２が所定の位置まで収納されると押圧部９が接点部６に接触し、電源の切替が行われる。
【００１７】
したがって、スイッチングの際に上述のプッシュスイッチ１では、１つのガイド部１０によって、操作ノブ２における複数の方向が同時にガイドされる。その結果、プッシュスイッチ１の接点部６やイルミネーション７などの電子部品の収納スペースを維持しつつ、操作ノブ２の動作時における傾きを抑制できる。
【００１８】
さらに、部材４において一つのガイド部１０と対称な位置に他のガイド部１０が配置されているので、操作ノブ２がさらにバランスよくガイドされる。その結果、さらに効率良く動作時における操作ノブ２の傾きを抑制できる。
【００１９】
また、平面形状が長方形状とされた操作ノブ２の四隅に、操作ノブ２の複数の面２Ａ、２Ｂに接触するガイド部１０が配置されているので、操作ノブ２がバランスよくガイドされ、スイッチケース３に対する操作ノブ２の傾きをさらに抑制できる。
【００２０】
また、各ガイド部１０が操作ノブ２の内側に設けられているので、操作ノブ２の外側にガイド部が形成された場合よりもガイド部を長く形成することができる。その結果、スイッチケース３に対する操作ノブ２の姿勢がさらに安定する。その結果、さらに操作ノブ２の傾きを抑制できる。
【００２１】
上述の具体例におけるガイド部１０の他の配置の例を図３および図４に示す。図３では、ガイド部１０が３箇所に形成されている。この３つのガイド部１０のうち、２つのガイド部は、部材４の四つの辺のうち対向する二つの辺にそれぞれ配置されている。したがって、前記２つのガイド部は部材４において対称な位置に配置されている。残りの１つのガイド部は、前記二つの辺以外の他の一辺に配置されている。ガイド部１０を図３のように配置した場合、１つのガイド部１０によって、操作ノブ２における複数の方向が同時にガイドされ、かつ、一つのガイド部１０と対称な位置に他のガイド部１０が配置されているので、操作ノブ２がさらにバランスよくガイドされる。その結果、プッシュスイッチ１の接点部６やイルミネーション７などの電子部品の収納スペースを維持しつつ、操作ノブ２の動作時における傾きを抑制できる。また、この発明のガイド部は、図４に示すように操作ノブの内側に向けて形成されてもよい。
【００２２】
なお、上記実施例において、部材４は平面が長方形状とされたが、この発明のガイド部が形成される部材の平面形状はこれに限定されることなく、例えば、円形、菱形等の任意の形状とすることができる。また、部材４はスイッチケース３と一体に形成されていても良い。
【図面の簡単な説明】
【００２３】
【図１】この発明のプッシュスイッチを簡略的に示す平面図である。
【図２】この発明のプッシュスイッチを簡略的に示す縦断面図である。
【図３】この発明のプッシュスイッチの他の例を示す図である。
【図４】この発明のプッシュスイッチのさらに他の例を示す図である。
【符号の説明】
【００２４】
１…プッシュスイッチ、  ２…操作ノブ、  ２Ａ，２Ｂ…面、  ３…スイッチケース、  １０…ガイド部。
【図１】
2006066102.tif 000003
【図２】
2006066102.tif 000004
【図３】
2006066102.tif 000005
【図４】
2006066102.tif 000006